(57)【特許請求の範囲】
【請求項１】
改頁ローラを圧接して回転することにより冊子状媒体の頁をめくる自動改頁機構において、
前記改頁ローラを支持して回動可能なアームを設け、
前記アームを傾斜させることにより、前記改頁ローラが前記冊子状媒体の見開いた頁の上面に与える圧力を変化させることを特徴とする自動改頁機構。
【請求項２】
前記冊子状媒体に接触する前に前記改頁ローラの回転を開始し、前記改頁ローラを回転させた状態で前記アームを傾斜させることにより、前記改頁ローラが前記見開いた頁を圧接することを特徴とする請求項１記載の自動改頁機構。
【請求項３】
前記冊子状媒体の残り印字枚数が少なくなると、前記アームの傾斜を大きくして、前記改頁ローラが前記見開いた頁に与える圧力を増加させることを特徴とする請求項１または２記載の自動改頁機構。
【請求項４】
前記改頁ローラは、高摩擦部分と低摩擦部分とを有し、前記高摩擦部材が前記冊子状媒体から離れるまで前記アームにより前記圧力を増加させることを特徴とする請求項１乃至３記載の自動改頁機構。
【発明の詳細な説明】
【技術分野】
【０００１】
本発明は、通帳等の冊子状の媒体の自動改頁機構に関するものである。
【背景技術】
【０００２】
一般に、冊子状の媒体を取扱う装置の一つである通帳プリンタは、図１３のような構成からなる。そして、印字する頁を開いた状態で通帳３を図中矢印Ａ方向から挿入すると、磁気リードライト部３４にて磁気データの読み込みや書き込みを行い、次に、通帳３の頁マークリード部３３にて頁マークを読み込み、次に、印字部３２により該当ページに未記帳印字データの印字を行うようになっている。
【０００３】
そして、当該ページの最終行まで印字を終了してもまだ印字データが残っている場合は、搬送ローラ３６により通帳３を改頁部３０まで搬送し、ページめくりを実行し、次のページに残りの印字データを印字するようにしている。
【０００４】
そして、前記ページめくりは、見開きページに当接させた改頁ローラ３１を回転させることにより行われ、改頁ローラ３１をめくるページ面に押し付けたり、図１３のように改頁ローラ３１と対向する位置に配置されたプレスローラ３５を通帳３の下側から矢印Ｂ方向に改頁ローラ３１側に押し付けたりして、ページめくりを行うようにしている。
【０００５】
このページめくりでは、通帳３の各頁の厚さ、硬さ、摩擦係数等の材質や、めくるページの位置など、様々な条件により変化するため、同一の改頁制御では、めくれなかったり或いは逆につられめくりなどのめくり過ぎなどの不具合が発生してしまう。
【０００６】
この不具合を解決するために、頁マークリード部３３にて読み取ったページ情報に基づき改頁ローラ３１或いはプレスローラ３５の通帳３方向への移動量を制御したり、各ページに位置検出用のマークをあらかじめ印刷して置きこれを読取りながら、改頁ローラ３１或いはプレスローラ３５の通帳方向への移動量を制御したりして、改頁の圧力を一定に保つように制御されていた（例えば、特許文献１参照）。
【特許文献１】特許３４９１９４５号公報
【発明の開示】
【発明が解決しようとする課題】
【０００７】
しかしながら、通帳種類や該当頁により異なる制御を実施する従来の方法では、詳細なデータベースを設け、これと照合する必要があるために処理が非常に複雑になるという問題があった。また、位置検出用のマークを印刷して置きこれを読取りながら圧力を制御する方法では、特別な印刷を通帳に施す必要があり通帳のコストが高くなるという問題や処理量が増大し処理時間が長くなるという問題があった。
【課題を解決するための手段】
【０００８】
本発明は、前述の課題を解決するため次の手段を採用する。すなわち、改頁ローラを圧接して回転することにより冊子状媒体の頁をめくる改頁機構において、前記改頁ローラの回転と連動させて、圧接する圧力を変化させるようにした。
【発明の効果】
【０００９】
本発明の自動改頁機構によれば、改頁ローラの回転と連動させて、圧接する圧力を変化させるようにしたので、簡単な構成で、複雑な処理、多大な処理時間を必要とせず、ページめくりに必要でかつ十分な摩擦力を発生させることができる。
【発明を実施するための最良の形態】
【００１０】
以下、本発明に係る実施の形態例を、図面を用いて説明する。なお、以下の説明では、便宜上、取扱う媒体を通帳として説明するが、冊子状の媒体であれば、通帳でなくともよい。
【実施例１】
【００１１】
実施例１の自動改頁機構は、改頁ローラを支持し当該改頁ローラの回転と連動して回動するアームを設け、当該アームの回動により通帳への圧力を制御するようにした。
【００１２】
（構成）
図１は、実施例１の自動改頁機構の構成を示すものである。改頁ローラ１は、モータ２により回転駆動するとともに、モータ４により回動されるアーム５により支持されて、アーム５の傾斜により通帳３の見開き面にかかる圧力を変化させることができるようになっている。
【００１３】
また、改頁ローラ１は、通帳３の２枚目以降のつられめくりを防止するために、ゴム等の材質からなる高摩擦部分７と、プラスチック等の材質からなる低摩擦部分８で構成され、アーム５の回転と連動して空転を開始し、アーム５が所定の角度回動すると高摩擦部分７が通帳３から離れる角度となるようになっている。
【００１４】
前記アーム５および高摩擦部分７の回転角度は、図示しない光学センサ等により図２の状態ａであるそれぞれの原点位置を決定し、モータ２およびモータ４の送り量から検出するようにしている。
【００１５】
なお、図１のように、改頁ローラ１とアーム５の回動をそれぞれ別のモータで駆動する構成ではなく、改頁ローラ１の回転とアーム５の回動を１つのモータにより行う構成として、改頁ローラ１とアーム５の回動をカム、リンク等により連結し、同期をとることによって、当該モータの送り量だけで回転角度を管理するような構成としてもよい。
【００１６】
本実施例では、改頁ローラ１に対向するガイド６には、くぼみが設けられており、改頁ローラ１により押された通帳３が変形できるようにすることにより、ガイド６と通帳３の挟み込みによる急激な圧力の増加を防止している。
【００１７】
シャッタ９および１０は、通常の搬送では、搬送路周辺に空間が発生しないようにするために、略水平の位置から略垂直の位置まで回動可能な構成となっている。また、センサ１１は、めくったページがめくり上がり、センサ１１を遮断することによりページめくりが終了したことを検出するためのセンサである。
【００１８】
（動作）
以上の構成により、実施例１の自動改頁機構は、以下のように動作する。この動作を図２ないし図９（状態ａから状態ｈ）の状態の遷移を示す動作説明図を用いて説明する。
【００１９】
まず、図２は、めくり動作開始前の初期状態を示しており、通帳３の搬送の妨げにならないように、アーム５は直立した状態となっている。また、搬送路上に空間があると、後述の図３のように見開いた通帳３を搬送する際に中紙が拘束されず、改頁ローラ１等と衝突するなどの搬送不良が発生するため、シャッタ９および１０を水平の位置にして通帳３の上面を規制するようにしている（状態ａ）。
【００２０】
次に、図３は、見開いた通帳３が矢印Ａ方向から挿入され、所定の位置に停止させた状態である。このとき、通帳３の中紙をめくり上げるための空間を確保するためにシャッタ９および１０を開いた状態とする。このとき、状態ａのときと同様、アーム５は直立した状態となっており、改頁ローラ１は回転を開始しておらず、高摩擦部分７の位置は上９０度の位置となっている（状態ｂ）。
【００２１】
次に、図４は、通帳３が所定の位置に達し、めくり動作を開始するときの最初の状態を示しており、見開いた通帳３の印字頁の端部に向かって、アーム５の傾斜を開始し、改頁ローラ１の回転も同時に開始した状態である（状態ｃ）。
【００２２】
次に、図５は、見開いた通帳３の印字頁の表面に改頁ローラ１が当接した状態を示している。残りの未印字枚数が多くあり、改頁ローラ１、ガイド６間の厚さが厚い場合は、この時点で印字頁がピックアップされ、持ち上げられ始める（状態ｄ）。
【００２３】
図６は、図５の状態ｄよりもアーム５が傾斜した状態である。残りの未印字枚数が少なく、改頁ローラ１、ガイド６間の厚さが薄い場合は、この時点で印字頁がピックアップされ、持ち上げられ始める（状態ｅ）。
【００２４】
次に、図７は、図５或いは図６の状態となった後、アーム５の傾斜動作を停止し、改頁ローラ１を継続して回転したときの状態を示している。図５或いは図６の状態でピックアップされた中紙は改頁ローラ１により上方に、さらにめくり上げられる。そして、次の頁が、改頁ローラ１に当接するため、当該次の頁のピックアップが開始される（状態ｆ）。
【００２５】
次に、図８は、引き続き、改頁ローラ１を回転させた状態である。改頁する中紙は改頁ローラ１の上方に跳ね上げられ、次の頁は、改頁ローラ１の接触部が低摩擦部分８に移行するため、跳ね上げられることがない。
【００２６】
次に、図９は、アーム５の傾斜を戻した状態である。これにより２枚目以降のたわみは解除され、この後、図の右側（矢印Ｃ方向）に通帳３を搬送することにより、改頁する中紙が上方に跳ねられ、センサ１１にてこれを検出すると、めくり動作を終了する。
【００２７】
以上の説明では、通帳の見開きページを進める順ページめくりの動作についてのみ説明したが、通帳の見開きページを戻す逆ページめくりの場合は、図中右方向から見開き通帳３を搬送し所定の位置にて停止させ、改頁ローラ１およびアーム５を反時計方向に連動して回転するようにする。
【００２８】
また、以上の説明では、図５、図６にて残頁枚数による通帳厚さが異なる場合について説明したが、中紙の厚さや硬さ、摩擦係数などが異なる場合であっても、同様に、ページめくりに必要でかつ十分な摩擦力を発生させることができる。
【００２９】
例えば、中紙が厚く硬い場合或いは摩擦係数が低い場合、ページめくりの圧力を増加させ摩擦力を増加させる必要があるが、改頁ローラ１の高摩擦部分７が通帳３から離れるまで、アーム５の回動により徐々に圧力が増加し、必ず該当ページのページめくりを行うことができ、次のページについては、高摩擦部分７が通帳３から離れて摩擦力が減少するので、つられめくりが発生することがない。
【００３０】
（実施例１の効果）
以上のように、実施例１の自動改頁機構によれば、改頁ローラを支持し当該改頁ローラの回転と連動して回動するアームを設け、当該アームの回動により通帳への圧力を制御するようにしたので、簡単な構成で、複雑な処理、多大な処理時間を必要とせず、ページめくりに必要でかつ十分な摩擦力を発生させることができる。
【実施例２】
【００３１】
実施例２の自動改頁機構は、改頁ローラに対向する押圧部材を設け、改頁ローラの回転と連動して押圧部材により圧接させるようにしたものである。
【００３２】
（構成）
実施例２の自動改頁機構は、図１０に示したように、改頁ローラ１の位置は固定され、改頁ローラ１に対向して押圧部材１５を設け、モータ１７により押圧部材１５を回動する構成となっている。また、ガイド１６は、実施例１のガイド６のようにくぼみのない構成となっている。その他の構成は、実施例１の構成と同様であるので、簡略化のためにその詳細な説明を省略する。
【００３３】
押圧部材１５は、端部１５ａ、１５ｂを有し、支点１５ｃを支点としてモータ１７により回動させることにより、端部１５ａ、１５ｂを上下にスライドさせ、ガイド１６によりガイドされて搬送される通帳３の下面を押し上げ、改頁ローラ１に圧接させるようになっている。
【００３４】
例えば、矢印Ｄ方向に押圧部材１５を回動させると、図１１に示したように、支点１５ｃを中心として回転するが、端部１５ａが矢印Ｅ方向に、端部１５ｂが矢印Ｆ方向にスライドする機構となっている。逆に、押圧部材１５を矢印Ｄ方向とは逆に回動させると、端部１５ａが矢印Ｅ方向とは逆方向に、端部１５ｂが矢印Ｆ方向とは逆方向にスライドする機構となっている。
【００３５】
実施例２の自動改頁機構では、改頁ローラ１を上から押し付けるのではなく、端部１５ａ或いは１５ｂにより通帳３の下面を押し上げ、改頁ローラ１に圧接するようにしているので、ガイド１６は、実施例１のようなくぼみのない形状となっている。
【００３６】
（動作）
以上の構成により、実施例２の自動改頁機構は、以下のように動作する。図１１が厚い通帳のページめくりを行う場合であり、図１２が薄い通帳のページめくりを行う場合を示している。なお、実施例２の動作のうち、通帳３を改頁ローラ１に圧接する動作のほかは、実施例１の動作と同様であるので、同様の動作については簡略化のためにその説明を省略する。
【００３７】
実施例２の自動改頁機構では、前述のように、改頁ローラ１を搭載したアーム５を傾斜させ改頁ローラ１を通帳３に圧接する代わりに、押圧部材１５の端部１５ａまたは１５ｂを上昇させることにより、通帳３を改頁ローラ１に圧接するようにしている。
【００３８】
通帳の見開きページを進める順ページめくりを行うときは、図１１に示したように、改頁ローラ１の回転と連動させ、矢印Ｄ方向に支点１５ｃを中心として押圧部材１５を回動させ、端部１５ａを矢印Ｅ方向にスライドさせる。このとき端部１５ｂは、矢印Ｆ方向にスライドする。
【００３９】
すると、端部１５ａにより下側から押された通帳３の見開きページが改頁ローラ１に圧接され、改頁ローラ１の高摩擦部分７との摩擦により、ページめくりが行われる。そして、次のページがめくられる前に改頁ローラ１の高摩擦部分７が通帳３より離れ、低摩擦部分８が圧接されることになるので、摩擦力が低下してつられめくりが発生しない。
【００４０】
上記図１１の厚い通帳のページめくりを行う場合と比較し、薄い通帳３のページめくりを行うときでは、図１２に示したように、高摩擦部分７の回転とともに通帳３の下側から端部１５ａがさらに押し上げられるので、厚い通帳３と同様、ページめくりを行うのに十分な圧力を得ることができる。
【００４１】
一方、通帳３の見開きページを戻す逆ページめくりのときは、図示していないが、図中右側から見開いた通帳３を搬送させ所定の位置に停止させ、押圧部材１５の回転と連動して改頁ローラ１を反時計方向に回転させ、端部１５ｂを下側から通帳３に押し付けるようにすることにより、逆ページめくりを行う。
【００４２】
（実施例２の効果）
以上のように、実施例２の自動改頁機構によれば、改頁ローラの回転と連動して押圧部材を回動させ、通帳を改頁ローラに圧接するようにしたので、実施例１と同様、簡単な構成で、複雑な処理、多大な処理時間を必要とせず、ページめくりに必要でかつ十分な摩擦力を発生させることができる。
【００４３】
《その他の変形例》
以上の実施例の説明では、取扱う媒体として通帳を例に説明したが、通帳に限らず、冊子状の媒体であれば、本発明を適用することができる。
【産業上の利用可能性】
【００４４】
以上述べたように、本発明は、冊子状媒体のページめくり機構を有する媒体処理装置に広く用いることができる。
【図面の簡単な説明】
【００４５】
【図１】実施例１の自動改頁機構の構成図である。
【図２】実施例１の自動改頁機構の動作説明図（状態ａ）である。
【図３】実施例１の自動改頁機構の動作説明図（状態ｂ）である。
【図４】実施例１の自動改頁機構の動作説明図（状態ｃ）である。
【図５】実施例１の自動改頁機構の動作説明図（状態ｄ）である。
【図６】実施例１の自動改頁機構の動作説明図（状態ｅ）である。
【図７】実施例１の自動改頁機構の動作説明図（状態ｆ）である。
【図８】実施例１の自動改頁機構の動作説明図（状態ｇ）である。
【図９】実施例１の自動改頁機構の動作説明図（状態ｈ）である。
【図１０】実施例２の自動改頁機構の構成図である。
【図１１】実施例２の自動改頁機構の動作説明図である。
【図１２】実施例２の自動改頁機構の動作説明図である。
【図１３】通帳プリンタの構成図である。
【符号の説明】
【００４６】
１  改頁ローラ
３  通帳
５  アーム
６、１６  ガイド
７  高摩擦部分
８  低摩擦部分
９、１０  シャッタ
１１  センサ
１５  押圧部材
１５ａ、１５ｂ  端部
１５ｃ  支点
３０  改頁部
【図１】
0004784331.tif 000002
【図２】
0004784331.tif 000003
【図３】
0004784331.tif 000004
【図４】
0004784331.tif 000005
【図５】
0004784331.tif 000006
【図６】
0004784331.tif 000007
【図７】
0004784331.tif 000008
【図８】
0004784331.tif 000009
【図９】
0004784331.tif 000010
【図１０】
0004784331.tif 000011
【図１１】
0004784331.tif 000012
【図１２】
0004784331.tif 000013
【図１３】
0004784331.tif 000014